(57)【特許請求の範囲】
【請求項１】
前側開口部がレンズ又は透明板で施蓋され、リング状のレンズカバーと、
前方に向け拡開する円錐状の外形の内周面に反射面を設け、中央に光源を臨入する穴を形成し、前端縁を前記レンズカバーに固定される反射鏡と、
前記レンズカバーを前面の開口部に着脱可能とし、光源を装着した光源ホルダを開口部の奥に備え、光源に電源を供給する電池を収容する電池ケースをその長手方向が光軸と直交する左右方向に向けて固設したランプケースと、
前記ランプケースに保持手段を介して取り付けられるヘッドベルトと、
前記ヘッドベルトに着脱自在であり、前記電池ケースと電気的にコードで接続され、前記コードを介してランプケース内の光源への電源供給をオン、オフするスイッチブロックと、を備え、
該スイッチブロックに用いるスイッチは押圧の繰り返しによってオンあるいはオフを繰り返すものであって、その押圧操作部は手の指先より大きな部位で押せるような大面積であることを特徴とする照明ランプ。
【請求項２】
押圧操作部はゆるく外方へ向け彎曲させ操作しやすくしたことを特徴とする請求項１に記載の照明ランプ。
【請求項３】
電池ケースは、左右両端に開口端面を備えるものであって、左右両開口端面には電池蓋又はコードキャップのいずれかをそれぞれ着脱可能とし、
前記電池蓋及びコードキャップの、電池ケースに対する取り付け位置を入れ替えることにより、ランプケースを基準として、スイッチブロックをヘッドベルトの左右いずれの側にも装着可能としたことを特徴とする請求項１に記載の照明ランプ。
【請求項４】
スイッチブロックにはロックレバーを設け、該ロックレバーをロック側に操作することにより、スイッチの押圧動作が規制されてオフまたはオン状態が維持されることを特徴とする請求項１に記載の照明ランプ。
【請求項５】
電池蓋には脱落を係止する細い紐又はベルト状の部材の一端を固着し、該紐又はベルト状部材の電池蓋側とは別側の端部は、ランプケースあるいはヘッドベルト保持部材に着脱自在とし、該着脱自在な位置は、ランプケース中心を基準としてランプケースあるいはヘッドベルト保持部材の左右両側にそれぞれ設けたことを特徴とする請求項３に記載の照明ランプ。
【発明の詳細な説明】
【０００１】
【発明の属する技術分野】
本発明は、電池を電源とする携帯用のランプに関し、特に、登山や釣りなど、暗い場所で作業する場合における照明用として好適に用いることのできる照明ランプに関するものである。
【０００２】
【従来の技術】
技術の照明ランプの中で、頭部に装着するヘッドランプとして使用することを目的したものは、冬山登山や洞窟探検あるいは暗い場所において両手を自由に使って作業する場合などに好適に使用できるものであり、有用なものとされている。
【０００３】
【発明が解決しようとする課題】
このような両手を使って作業する場合、手先が両手ともに汚れることがある。とくに釣りなどの場合には魚に触れたりして手が汚れ、かつ濡れることになるし、登山などでも岩肌や樹木に手でつかまったりするので手は泥にまみれることがある。一方、頭部に装着したランプは、必要に応じて電源をオン、オフしなくてはならない。電池を電源としているため、不要時には電源を切っておかないと電池の無駄な消耗を招くものとなる。しかしながら、従来の照明ランプの電源を操作するスイッチはランプ本体に直接配置されていて、操作のためのスイッチレバーあるいはボタンが比較的小さく、汚れた手先を使わなくては操作ができないので、電源のオン、オフのために照明ランプ自体を汚すことになり、事後の手入れに手間がかかり、汚れたまま放置したりすると機器の寿命を損なうこともあるものであった。本発明は、このような従来の照明ランプを、汚れた手先を使わなくても電源オン又はオフの操作ができ、しかも右利き、左利きいずれの利用者にも使用可能な実用性の高いものとすることを目的としている。
【０００４】
【課題を解決するための手段】
上記の課題は、本発明によれば、前側開口部がレンズ又は透明板で施蓋され、リング状のレンズカバーと、前方に向け拡開する円錐状の外形の内周面に反射面を設け、中央に光源を臨入する穴を形成し、前端縁を前記レンズカバーに固定される反射鏡と、前記レンズカバーを前面の開口部に着脱可能とし、光源を装着した光源ホルダを開口部の奥に備え、光源に電源を供給する電池を収容する電池ケースをその長手方向が光軸と直交する左右方向に向けて固設したランプケースと、前記ランプケースに保持手段を介して取り付けられるヘッドベルトと、前記ヘッドベルトに着脱自在であり、前記電池ケースと電気的にコードで接続され、前記コードを介してランプケース内の光源への電源供給をオン、オフするスイッチブロックとを備え、該スイッチブロックに用いるスイッチは押圧の繰り返しによってオンあるいはオフを繰り返すものであって、その押圧操作部は手の指先より大きな部位で押せるような大面積であるものとすることによって解決される。
【０００５】
また、上記の課題は、本発明によれば、前項において、押圧操作部はゆるく外方へ向け彎曲させ操作しやすくしたことで解決される。
【０００６】
また、上記の課題は、本発明によれば、前項、前々項において、電池ケースは、左右両端に開口端面を備えるものであって、左右両開口端面には電池蓋又はコードキャップのいずれかをそれぞれ着脱可能とし、前記電池蓋及びコードキャップの、電池ケースに対する取り付け位置を入れ替えることにより、ランプケースを基準として、スイッチブロックをヘッドベルトの左右いずれの側にも装着可能としたことで解決される。
【０００７】
また、上記の課題は、本発明によれば、前項までの解決手段において、スイッチブロックにはロックレバーを設け、該ロックレバーをロック側に操作することにより、スイッチの押圧動作が規制されてオフまたはオン状態が維持されることにより解決される。
【０００８】
また、上記の課題は、本発明によれば、前項までの解決手段において、電池蓋には脱落を係止する細い紐又はベルト状の部材の一端を固着し、該紐又はベルト状部材の電池蓋側とは別側の端部は、ランプケースあるいはヘッドベルト保持部材に着脱自在とし、該着脱自在な位置は、ランプケース中心を基準としてランプケースあるいはヘッドベルト保持部材の左右両側にそれぞれ設けたことで解決されるものとなる。
【０００９】
【発明の実施の形態】
本発明の照明ランプは、ヘッドランプとして装着するのに最適なものであり、ランプケースとして光源や電源部を備えた本体側とは別に、電源供給をオン、オフするスイッチを一つのブロックとして備えるようにし、これをヘッドベルトに装着するようにしたものである。
【００１０】
スイッチブロックに用いるスイッチはプッシュスイッチとし、カム機構を用いて押圧の繰り返しによってオンあるいはオフを交互に繰り返す公知のものであって、その押圧操作部は手の指先よりも大きな人体の部位で押せる程度、例えばこぶしの角、親指の付け根の腹、などで押せる程度の大きめのものとする。このようにすれば、手先が汚れていたりしても照明ランプ本体やスイッチブロックを汚さずにオン、オフ操作することができる。また、この押圧操作部を外方へ向けゆるく彎曲突出するような形にしておけば、さらに操作しやすいものとなる。
【００１１】
電池ケースは照明ランプ本体を構成するランプケースに直接固定されるが、その配置を電池ケースの長手方向が光軸と直交する左右方向に向けたものとする。そして左右両端に開口端面を備えるものとし、左右両開口端面には電池蓋又はコードキャップのいずれかをそれぞれ着脱可能とし、電池蓋及びコードキャップの、電池ケースに対する取り付け位置を入れ替えることにより、ランプケースを基準として、スイッチブロックをヘッドベルトの左右いずれの側にも装着可能とする。スイッチブロックの操作は、使用者が右利きであっても左利きであっても使用しやすいものとなる。
【００１２】
電池蓋には脱落を係止する細い紐又はベルト状の部材の一端を取り付ける。そして逆の端部は、ランプケースあるいはランプケースにヘッドベルトを取り付ける保持部材に着脱自在とする。さらにその着脱自在な位置は、ランプケース中心を基準としてランプケースあるいはヘッドベルト保持部材の左右両側にそれぞれ設ける。前記のスイッチブロックをヘッドベルトの左右いずれの側にも装着可能とする構成に電池蓋の配置も対応できるものとなる。
【００１３】
また、スイッチブロックにはロックレバーを設け、ロックレバーをロック側に操作することにより、スイッチの押圧動作が規制されてオフまたはオン状態が維持されるようにした。こうすることで、使用中に突然消灯して慌てたり、輸送中に電源が入り無用の電池消耗を生じたりすることがない。
【００１４】
【実施例】
図はすべて本発明の実施例を説明するものであり、図１は照明ランプ全体の正面図、図２は同側面図、図３はスイッチブロックの裏面図、図４は同断面図、図５はスイッチブロックの分解斜視図、図６は照明ランプの背面側の斜視図で、同図においては一部を省略して図示してある。
【００１５】
各図において、１はランプケースで、主要な機能を内蔵させる基体ケーシングとなるものであり、前面側を照光のために開口するとともに開口部内周面には後述のレンズ等を組み付けるバヨネット構造（図示せず）が形成されている。背面側はドーム状に丸く閉鎖され、下方には光源の電源となる電池を収容する電池ケース１３が、ランプケース１から一体に、左右方向に長手の、円筒状の電池収容用の電池室（図示せず）を備えて延設される。２は電池ケース１３の一方の開口端面を閉鎖するとともに後述のスイッチブロックと電気的に接続するコードを引き出す着脱自在なコードキャップ、３は電池ケース１３の他方の開口端面に開閉かつ着脱自在に設けた電池蓋である。コードキャップ２及び電池蓋３は電池ケース１３に対してネジ込みによって取り付けられ、防滴、防水機能を有する。
【００１６】
また、６はランプケース１の前面の開口を覆い、照光時に光束を収束したり拡大したりするためのレンズ、７は前方に向け拡開する円錐状の外形の内周面に反射面を設けた反射鏡、１０はレンズ６と反射鏡７の前端外周を囲繞するリング状のレンズカバーである。このレンズカバー１０の後部端縁の外周は前記ランプケース１の開口部内周面と着脱可能なバヨネット機構構造となっていて、レンズカバー１０の外周を把持して所定方向へ回転させると、前記のレンズ６と反射鏡７とがこのレンズカバーとともに取り外せる構造となっている。
【００１７】
８は円筒状の電池ケース１３の軸心と同心に回動可に設けたヘッドベルト保持部材であって、ヘッドベルト保持部材８には図６に見られるようにループ状のベルト取り付け部８ａが左右２箇所及び上方１箇所に形成されていて、この部分に、図１に部分的に記載されている、照明ランプを使用者の頭に取り付けるための布製等のヘッドベルト１２が嵌挿される。ベルト取り付け部８ａにはヘッドベルト１２を挿入するための切り込みＳが形成されている。また、使用者の頭への取り付け角度調整のためにヘッドベルト保持部材８はアーム部８ｄを左右に一対、前方に向け突出させていて、この部分が電池ケース１３の両端部を軸として回動可となっており、回動運動はクリックを伴う複数の停止位置を備える公知の構造である。
【００１８】
１１は光源であり、本実施例ではミニチュア球を用いている。ランプケース１内の、図２に点線で示した光源ホルダ１１ｈによって保持され、前記の反射鏡７の中心に位置するように配置される。なお、反射鏡７の中心には光源１１が突出する穴が形成されていることは言うまでもない。
【００１９】
２０はヘッドベルト１２に着脱可能に取り付けられるスイッチブロックで、詳細は図５の分解斜視図に説明されている。スイッチブロック２０は、基台となる浅い箱状のスイッチ台２１、スイッチ台２１の上に載置される枠状のスイッチカバー２２、スイッチカバー２２の枠内に配置され、押しボタンとして機能する可動的な補助板２３、そして補助板２３の表面側を覆い、操作時の押圧面となるスイッチゴム２４とによって外回りが構成されている。
【００２０】
浅い箱状のスイッチ台２１の箱内底面にはスイッチ本体２５が配置され、該スイッチ本体２５は、アクチェータ２５ａを中央上面に突出させて備え、これが前記の補助板２３の裏面に突出させた突起２３ａの先端により押圧されることでオン、オフを交互に繰り返す構造の小型のプッシュスイッチである。スイッチ本体２５自体の構造はカムを用いた公知の構造であるので省略する。
【００２１】
スイッチ台２１内にはまた、ロックカム２６が設けられる。ロックカム２６はスイッチ台２１の内底面に立設した軸２６ａを軸とし回動可能で、回動に伴い半径方向へ延設したロックアーム２６ｂを内底面に沿うようにして変位させる。また、該回動はスイッチ台２１の裏面外側の凹部に設けた、外部から操作可能な操作部２７ｂを備えるロックレバー２７に連動する構造であり、換言すれば、ロックレバー２７を外部から操作することによって内部のロックカム２６が回動する構造である。ロックレバー２７の操作は、図３にスイッチブロック２０の底面図として示したように、矢印Ａ方向に回動操作によってロック状態となり、矢印Ａ方向とは反対方向への操作によってこれを解除するようになっている。
【００２２】
補助板２３の内面には突起２３ｂが立設されている。該突起２３ｂの先端は、ロックレバー２７が外部からロック側に操作され内部のロックカム２６が回動し、ロックアーム２６ｂが変位した場合、ロックアーム２６ｂの上面に位置するように設定されている。
【００２３】
スイッチブロック２０には前記した電池ケース１３からのコード１５がスイッチ台２１及びスイッチカバー２２の一方の端部にそれぞれ設けた切込みを経て導入されていて、導入部にはゴムブッシュ１５ａを配設して、防滴構造又は防水構造としている。
【００２４】
また、スイッチ台２１には、コード１５が導入される側とは逆の端部にベルト取り付け部２１ａが一体に延設されており、これは前記したベルトホルダ８のベルト取り付け部８ａ同様の形状であり、スリットＳも備え、これらを用いてヘッドベルト１２にスイッチブロック２０を取り付けることができる。
【００２５】
以上が本発明の主たる構成要素であるが、組み付け状態及び使用状態についてさらに詳細に説明する。ランプケース１の前面からレンズカバー１０の外周を把持して回動させてこれをレンズ６、反射鏡７ごと取り外し、前面開口部から露出した光源ホルダ１１ｈの所定位置に光源１１を装着し、再びレンズカバー１０を取り付ける。レンズカバー１０の着脱は前記したようにバヨネット構造であるので簡単容易である。
【００２６】
スイッチブロック２０については、図５の分解図から理解されるように、スイッチ２５、ロックカム２６、ロックレバー２７、コード１５、ゴムブッシュ１５ａなどを組み付けたスイッチ台２１に、補助板２３とスイッチゴム２４を組み付けたスイッチカバー２２を矢印Ｂ方向に被せ、裏面から、図示しないネジで固定する。
【００２７】
電池ケース１３の左右両端の端面開口部に、コードキャップ２と電池蓋３とを取り付ける。使用者が右利きであれば、図１のように、向かって左側、本人の右側にコードキャップ２を、向かって右側、本人の左側に電池蓋３を取り付ける。また、使用者が左利きであれば、図１の状態とは逆に、向かって左側、本人の右側に電池蓋３を、向かって右側、本人の左側にコードキャップ２を取り付ける。前記したように、電池ケース１３の両端開口部は、どちらにも対応するように構成してある。
【００２８】
スイッチブロック２０をコードキャップ２の配置された方の側のヘッドベルト１２に取り付ける。スイッチブロック２０のスイッチ台２１に設けられているベルト取り付け部２１ａを用いて、スリットＳからヘッドベルト１２を嵌め込み、右利きの場合、図１のように取り付ける。コードキャップ２から導出されているコード１５はスイッチブロック２０に至る中間をコードホルダ１６でホールドするようにして安定させる。
【００２９】
電池ケース１３の、コードキャップ２を取り付けた側とは逆の開口部に、使用する電池を装填後、電池蓋３を取り付ける。右利き対象の場合は図１のようになる。このような状態の照明ランプを使用者は頭部にヘッドベルト１２を用いて装着する。ヘッドベルト１２の長さは図１に見られる調整具１７によって調整することができる。
【００３０】
スイッチブロック２０のスイッチゴム２４の表面を押圧することによって、通電されて光源１１が点灯し、再度押圧することで、電源を絶たれて光源１１が消灯する。スイッチゴム２４は前記のように、かなり大面積であるので、使用者は必ずしも指先を用いる必要がない。手のひらの一部を利用したり、ゲンコツで叩いたり、特に手先が汚れている場合など、使いやすいものとなっている。
【００３１】
点灯状態を継続したい場合、あるいは照明ランプを携帯し運搬する場合など、光源のオフ状態あるいはオン状態を維持したいときにはスイッチブロック２０のロックレバー２７を操作する。図３の矢印Ａ方向に操作することによって、図５のロックカム２６が回動し、補助板２３の下面の突起２３ｂ先端がロックアーム２６ｂに当接して押圧操作が規制され不能となる。従って、ロックレバー２７の操作前の状態、オフ、あるいはオン状態が維持されることとなり、使用中になにかにぶつかって突然消灯したり、運搬中に点灯して無駄な電池の消耗を招くようなことがない。
【００３２】
使用者が左利きである場合には、図１とは逆の状態になるように、コードキャップ２、電池蓋３、スイッチブロック２０などを付け替える。このようにすれば、スイッチのオン、オフを利き腕の手先で行うことができ、すこぶる使い勝手がよい。
【００３３】
電池蓋３は脱落防止手段を備えている。図６の背面斜視図に見られるように、電池蓋３の突端には蓋止め３ａによって細い紐状あるいは細いベルト状の電池蓋ホルダ３０が一端を係止されており、その他端は突起３０ａを備え、簡単な凹凸関係の嵌合によってベルトホルダ８に設けた係止孔８Ｌに嵌合係止されている。そして、この係止孔８Ｌに対応して右側にも係止孔８Ｒが形成されており、前記したようなスイッチブロック２０を左利き対応位置とする場合にも対応できるようになっていて、電池蓋３の取り付け位置を右利き、左利きに対応して付け替えることができる。なお、係止孔８Ｌ，８Ｒは、ベルトホルダ８に設けたが、ランプケース１自体に設けるようにしてもよい。
【００３４】
このようにすることによって、電池交換の際に左右いずれの側に電池蓋３を取り付けた場合にも、電池蓋３が電池ケース１３から脱落することがなく、夜釣り等の暗闇でも電池交換が円滑に行える。なお、電池ケース１３の開口端縁には電池蓋３との間隙を防滴構造又は防水構造とする弾性体からなるパッキングが装着される。
【００３５】
本発明の照明ランプは用途からみて防滴、防水対応である必要があり、電池ケース１３と着脱可能となっているコードキャップ２及び電池蓋３との間には図示しないパッキンを配置するが、その他にも、スイッチブロック２０のロックレバー２７の軸には防水用にＯリング（図示せず）が装着され、ランプケース１の外周とレンズ６の内周面との間にＯリング（図示せず）が装着され、雨天や海岸、あるいは河川付近での使用に耐えるように防滴、防水構造としてある。
【００３６】
電池ケース１３はランプケース１と一体に形成することが防滴、防水上望ましいが、別体に形成して密着して固定するようにしてもよい。
【００３７】
レンズカバー１０前面のレンズ６は、本実施例では光源１１の光束を収束あるいは拡散するためにレンズとしたが、事情によっては単なる透明板であってもよい。
【００３８】
また、電池ケース１３に装填する電池は乾電池、充電池、あるいはリチュウム電池などを利用することができる。
【００３９】
【発明の効果】
以上のように本発明によれば、ランプケースに保持手段を介して取り付けられるヘッドベルトと、ヘッドベルトに着脱自在であり、電池ケースと電気的にコードで接続され、コードを介してランプケース内の光源への電源供給をオン、オフするスイッチブロックとを備え、スイッチブロックに用いるスイッチは押圧の繰り返しによってオンあるいはオフを繰り返すものであって、その押圧操作部は人体の手で形成したこぶしで押せる程度に大面積であるようにし、押圧操作部はゆるく外方へ向け彎曲させ操作しやすくしたので、手のひら、手の甲、手の側面、指の先、あるいは腕の一部分など、人体の多くの個所をスイッチの押圧に利用することができ、手先が汚れていたり塞がっていたりする際に大きく役立つものとなる。
【００４０】
また、電池ケースは、左右両端に開口端面を備えるものであって、左右両開口端面には電池蓋又はコードキャップのいずれかをそれぞれ着脱可能とし、電池蓋及びコードキャップの、電池ケースに対する取り付け位置を入れ替えることにより、ランプケースを基準として、スイッチブロックをヘッドベルトの左右いずれの側にも装着可能としたので、左右いずれが利き腕の人でも利用しやすいものとなる。
【００４１】
また、スイッチブロックにはロックレバーを設け、該ロックレバーをロック側に操作することにより、スイッチの押圧動作が規制されてオフまたはオン状態が維持されるようにしたので、携帯時に電源が入って電池を無用に消耗させたり、点灯して作業中にスイッチブロックをどこかにぶつけて突然消灯してしまうようなことがなく、安定した状態が得られるものとなった。
【００４２】
さらに、電池蓋には脱落を係止する細い紐又はベルト状の部材の一端を固着し、該紐又はベルト状部材の電池蓋側とは別側の端部は、ランプケースあるいはヘッドベルト保持部材に着脱自在とし、該着脱自在な位置は、ランプケース中心を基準としてランプケースあるいはヘッドベルト保持部材の左右両側にそれぞれ設けたので、前述の、左右いずれが利き腕の人にでも対応するスイッチブロックの取り付け位置切り換え構造が、電池蓋の脱落紛失防止についても対応するものとなる。
【図面の簡単な説明】
【図１】本発明の照明ランプの正面図
【図２】本発明の照明ランプの側面図
【図３】本発明の照明ランプのスイッチブロックの裏面図
【図４】本発明の照明ランプのスイッチブロックの断面図
【図５】本発明の照明ランプのスイッチブロックの分解斜視図
【図６】本発明の照明ランプの裏面側の斜視図
【符号の説明】
１        ランプケース
２        コードキャップ
３        電池蓋
６        レンズ
７        反射鏡
８        ヘッドベルト保持部材
１０      レンズカバー
１１      光源
１２      ヘッドベルト
１３      電池ケース
２０      スイッチブロック
２２      スイッチカバー
２４      スイッチゴム
２７      ロックレバー
【図１】
0004540901.tif 000002
【図２】
0004540901.tif 000003
【図３】
0004540901.tif 000004
【図４】
0004540901.tif 000005
【図５】
0004540901.tif 000006
【図６】
0004540901.tif 000007